(57)【特許請求の範囲】
【請求項１】
モーターの正転・逆転を切替ノブの操作で切替える切替レバーを収容する切替レバー収容室が設けてあるケースと、
前記切替レバーが収容されている切替レバー収容室に隣接した位置に設けた摺動切替基板収納部にケースの開口面に対して鉛直方向から差し込んで配置される摺動切替基板と、
前記摺動切替基板の一方の面に設けた第１切替接触子、及びこの第１切替接触子と所定間隔を持って且つ第１切替接触子よりも長く帯状に形成した第２切替接触子を備え、
前記切替レバーの切替制御部に取付けられている切替可動接片が、前記摺動切替基板に配置されている第１切替接触子及び第２切替接触子に接触して摺動することで、モーターの正転・逆転の信号を生成することを特徴とするトリガースイッチ。
【請求項２】
前記切替レバーに防塵用のパッキンを備えたことを特徴とする請求項１に記載のトリガースイッチ。
【発明の詳細な説明】
【技術分野】
【０００１】
本発明はトリガースイッチに関し、詳しくはブラシレスモーター搭載工具等に使用される電動工具用スイッチであるトリガースイッチに関する。
【背景技術】
【０００２】
従来技術における電動工具用スイッチは、図３５に示すように、箱状に形成された内部に摺動接点機構（速度制御部）を組み込み、外部のトリガーレバー１１１からの摺動操作を伝達する摺動操作部１１２を備え、且つ側面を開口にしたケース１１３と、ケース１１３の側面の開口面を塞ぐと共に、内側側面に摺動切替基板１６５を搭載したカバー１１４と、手の指で操作できるトリガーレバー１１１と、ケース１１３の上部位置にモーターの正転と逆転を切替える切替レバー１１５と、を備えた構成になっている。
【０００３】
ケース１１３は、側面を開口にした箱型形状に形成され、下部位置に２つの第１及び第２摺動可動接片１６１ａ、１６１ｂを備え且つトリガーレバー１１１に連結している摺動操作部１１２を収納するスペースを設け、上部位置にモーターの正転と逆転を切替える切替レバー１１５を収納するスペースを設けた構造となっている。
【０００４】
摺動操作部１１２は、棒状に形成し自由端部にトリガーレバー１１１を取り付けることができるプランジャー１５５と、このプランジャー１５５の基部側であって側面に平行に２つの第１摺動可動接片１６１ａ及び第２摺動可動接片１６１ｂを配置してモーターの起動及び回転速度を制御する速度制御部１５７を設けた構造となっている。
【０００５】
摺動切替基板１６５は、図３６に示すように、モーターの正転・逆転を切替える第１及び第２切替接触子１６８ａ、１６８ｂが２つ平行に配置され、その第１及び第２切替接触子１６８ａ、１６８ｂの下部位置にモーターの可変制御する第３及び第４摺動接触子１６６ｃ、１６６ｄを平行に配置し、その下部位置にモーターを起動させるための第１及び第２摺動接触子１６６ａ、１６６ｂを平行に配置した構成となっている。
【０００６】
切替レバー１１５は、立方体に形成された切替操作部１７２の上端部に上方向に突出形成した切替ノブ１７１を備え、略中心位置に切替レバー１１５が回動自在な中心軸となる回動軸１７３、後端部の側面に切替の信号を発生させる導電性金属部材で形成された切替可動接片１７６を装着する接片部１７７を備えた構成になっている。
【０００７】
このような構造の切替レバー１１５においては、切替レバー１１５の回動軸１７３を回動軸係合孔１８１に係合させ、接片部１７７をスペースに収納した状態にすることで、切替可動接片１７６が切替接触子１６８ａ、１６８ｂに対峙した状態となる。そして、図３７に示すように、切替可動接片１７６が第１及び第２切替接触子１６８ａ、１６８ｂに対峙した状態、即ち、出力信号がオフの状態に維持する。
【０００８】
この状態から、図３８に示すように、切替レバー１１５を動かして切替操作をすると、切替可動接片１７６が、摺動切替基板１６５に上部方向から当接して、第１切替接触子１６８ａと第２切替接触子１６８ｂを導通状態にする。
【先行技術文献】
【特許文献】
【０００９】
【特許文献１】特開２００９−０５４５４０
【発明の概要】
【発明が解決しようとする課題】
【００１０】
しかしながら、従来技術で説明したトリガースイッチにおいては、特にモーターの正転・逆転を制御する切替レバー１１５において、正逆切替用の切替レバーの正転若しくは逆転の１出力のみ切替信号を作成する構成であるために、正逆切替用の切替レバーの中立と逆転時若しくは正転時の切替信号が出力なしとなり、中立時に正転若しくは逆転の信号と誤認識するといった誤動作を起こす問題がある。
【００１１】
又、切替レバー１１５を操作してモーターの正転・逆転を切り替える際に、図３９に示すように、切替可動接片１７６を基板上の第１（第２）切替接触子１６８ａ（１６８ｂ）上に押し当てることにより、切替信号を生成していたが、図４０に示すように、切替レバー１１５を揺すった場合、切替レバー１１５と切替可動接片１７６がいわば一体となっているために、揺すった動きが切替可動接片１７６に伝わり、切替可動接片１７６の接圧が弱くなり接触が不安定となる。即ち、切替レバー１１５の僅かな動き（例えば、ふらつき）により切替可動接片１７６の接触圧力が変化し、接触不安定な状態になるという問題もある
【００１２】
更に、切替可動接片１７６を第１（第２）切替接触子１６８ａ（１６８ｂ）に押し当てる構造であると、切替レバー１１５の切替えの度に、切替可動接片１７６が撓むため、繰り返し応力による切替可動接片１７６の破断が発生するという問題もある。
【００１３】
従って、従来の切替可動接片を切替接触子に押し当てる構造を根本的に見直し、モーターの正転と逆転に関する信号の生成を別々の手法で出力することにより誤認識を皆無にし、又、部品点数を増やすことなく接触圧力の変化を生じさせない構造及び繰り返し応力による破断を防止することに解決しなければならない課題を有する。
【課題を解決するための手段】
【００１４】
上記課題を解決するために、本願発明のトリガースイッチは、次に示す構成にすることである。
【００１５】
（１）トリガースイッチは、モーターの正転と逆転を切替ノブの操作で切替える切替レバーを収容する切替レバー収容室が設けてあるケースと、前記切替レバーが収容されている切替レバー収容室に隣接した位置に設けた摺動切替基板収納部にケースの開口面に対して鉛直方向から差し込んで配置される摺動切替基板と、前記摺動切替基板の一方の面に設けた第１切替接触子、及びこの第１切替接触子と所定間隔を持って且つ第１切替接触子よりも長く帯状に形成した第２切替接触子を備え、前記切替レバーの切替制御部に取付けられている切替可動接片が、前記摺動切替基板に配置されている第１切替接触子及び第２切替接触子に接触して摺動することで、モーターの正転と逆転の信号を生成することを特徴とする。
（２）前記切替レバーに防塵用のパッキンを備えたことを特徴とする（１）に記載のトリガースイッチ。
【発明の効果】
【００１６】
本発明に係るトリガースイッチは、ケースの開口面に対して鉛直に摺動切替基板を配置し、切替レバーの切替可動接片が、摺動切替基板に設けてある切替接触子に常に接触した状態で摺動することで、切替可動接片の金属疲労による破断といった現象を皆無にすることができ、接触圧力も常時安定して得ることができるため、外部からの要因による接触圧力の変化も皆無に等しくなり、良好な接続状態を得ることができる。
また、切替レバーに防塵用のパッキンを備えた構成にすることで、スイッチの外部に備えた切替レバーの操作により発生する動き部分の隙間からの塵の侵入を防止することができる。
【図面の簡単な説明】
【００１７】
【図１】本発明に係る第１実施例のトリガースイッチの外観を示した斜視図である。
【図２】同、底部が見える位置からの外観を示した斜視図である。
【図３】同、図１に示す外観の反対側からの外観を示した斜視図である。
【図４】同、図３に示す外観に対して底部が見える位置からの外観を示した斜視図である。
【図５】同、分解した個々の部品を示す斜視図である。
【図６】同、図５の分解図に対して反対方向からみた各部品を示す斜視図である。
【図７】同、組み立てる前のケースを示す斜視図である。
【図８】同、図７に示すケースに摺動切替基板を収納した様子を示す斜視図である。
【図９】同、図８に示すケースに摺動操作部を取付けた様子を示す斜視図である。
【図１０】同、図９に示すケースに切替レバーを取付けた様子を示す斜視図である。
【図１１】同、図１０に示すケースにカバーを取付けた様子を示す斜視図である。
【図１２】同、図１１に示す略組み終わったスイッチにトリガーレバーを取付けた様子を示す斜視図である。
【図１３】同、図５に示す摺動切替基板のモーター制御側の接触子の構成を示す平面図である。
【図１４】同、図６に示す摺動切替基板のモーターの正転・逆転を制御する接触子の構成を示す平面図である。
【図１５】同、図１０に示した部品を組み立てた様子を反対側から示す斜視図である。
【図１６】同、モーターの正転のみ出力するための接触子の配置状態を示した説明図である。
【図１７】同、モーターの逆転のみ出力するための接触子の配置状態を示した説明図である。
【図１８】同、モーターの正転・逆転の両方を出力するための接触子の配置状態を示した説明図である。
【図１９】同、切替レバーが中立時のときの様子を示す説明図である。
【図２０】同、切替レバーが正転時のときの様子を示す説明図である。
【図２１】同、切替レバーが逆転時のときの様子を示す説明図である。
【図２２】本発明に係る第２実施例のトリガースイッチの外観を示した斜視図である。
【図２３】同、底部が見える位置からの外観を示した斜視図である。
【図２４】同、図２２に対する外観から反対側からの外観を示した斜視図である。
【図２５】同、図２４に示す外観に対して底部が見える位置からの外観を示した斜視図である。
【図２６】同、分解した個々の部品を示す斜視図である。
【図２７】同、図２６の分解図に対して反対方向からみた各部品を示す斜視図である。
【図２８】同、組み立てる前のケースを示す斜視図である。
【図２９】同、図２８に示すケースに摺動切替基板を収納した様子を示す斜視図である。
【図３０】同、図２９に示すケースに更にガイド板を収納させた様子を示す斜視図である。
【図３１】同、図３０に示すケースに摺動操作部を取付けた様子を示す斜視図である。
【図３２】同、図３１に示すケースに切替レバーを取付けた様子を示す斜視図である。
【図３３】同、図３２に示すケースにカバーを取付けた様子を示す斜視図である。
【図３４】同、図３３に示す組立てたスイッチにトリガーレバーを取付けた様子を示す斜視図である。
【図３５】従来技術におけるスイッチを構成する部品を分解して示した斜視図である。
【図３６】同、摺動切替基板の接触子の配置状態を示した平面図である。
【図３７】同、切替レバーがオフ状態のときの様子を示す説明図である。
【図３８】同、切替レバーがオン状態のときの様子を示す説明図である。
【図３９】同、切替レバーがオン状態のときの最大振れ角時の可動接片位置を示す説明図である。
【図４０】同、切替レバーがオン状態のときにレバーを揺すったときの可動接片の接圧状態を示す説明図である。
【発明を実施するための最良の形態】
【００１８】
本願発明に係るトリガースイッチの第１の実施形態について、図面を参照して説明する。
【００１９】
本願発明の第１の実施形態のスイッチは、トリガーに連動して動く摺動操作部の速度制御部に２つの可動接片を設けて、摺動切替基板に設けてあるモーター可変用接触子とモーター起動用接触子上を摺動させるというもので、更に、ケースの開口面に対し鉛直に摺動切替基板が配置されていることで、切替レバーの動作方向と正逆切替信号用の可動接片の荷重印加方向が鉛直に配置されることになり、正逆切替信号用の可動接片が常に摺動切替基板に接触し、摺動動作を可能にすることで、常に安定した接触圧力が得られるスイッチ機構を提供する。
【００２０】
第１の実施形態における２つの摺動可動接片を備えたトリガースイッチは、図１乃至図４に示すように、箱状に形成された内部に摺動接点機構を組み込み、外部のトリガーレバー１１からの摺動操作を伝達する摺動操作部１２を備え、且つ側面を開口にしたケース１３と、ケース１３の側面の開口面を塞ぐように構成されたカバー１４と、手の指で操作できるトリガーレバー１１と、ケース１３の上部位置であって、モーターの正転・逆転を切り替える切替レバー１５と、を備えた構成になっている。
【００２１】
ケース１３は、側面と底面を開口にした箱型形状に形成し、図５及び図６に示すように、中央位置で一方側に突出して形成され、プランジャー５５を係合するための半欠け形状のプランジャー係合支持部２１を設け、プランジャー係合支持部２１から奥行きの位置にプランジャー５５及び速度制御部５７を備えた摺動操作部１２を収納する速度制御部収納室２３を備え、この速度制御部収納室２３の隣接した位置に摺動切替基板６５を開口部に対して鉛直方向から差し込んで収納する摺動切替基板収納部２４を備え、この摺動切替基板収納部２４に隣接した位置に切替レバー１５の切替制御部７４を収納する切替レバー収納室２５を備えた構成になっている。
【００２２】
摺動操作部１２は、円筒形状に形成したプランジャー５５と、プランジャー５５の先端部にトリガーレバー１１と係合するトリガー係合部５６を設け、プランジャー５５に連設して直方体形状に形成した速度制御部５７と、速度制御部５７の背後に復帰バネ５８を係合させて、常にトリガーレバー１１を押し込む方向と反対方向に付勢させる構造となっている。
【００２３】
速度制御部５７は、プランジャー５５と連設した面と異なる一方の面に摺動切替基板６５の摺動部材に摺動する第１摺動可動接片６１ａ、第２摺動可動接片６１ｂを接片装着部５９ａ、５９ｂに装着した構造となっている。
【００２４】
摺動切替基板６５は、表面側にモーターの起動及び回転速度制御に使用する２組の平行に配置した第１摺動接触子６６ａ及び第２摺動接触子６６ｂ、第３摺動接触子６６ｃ及び第４摺動接触子６６ｄが備えられ、裏面に本願発明の切替用の第１切替接触子６８ａ、第２切替接触子６８ｂが平行で且つ第２切替接触子６８ｂが細長く曲線形状にして配置されている。
【００２５】
切替レバー１５は、本願発明の主要とするもので、切替ノブ７１を備えた切替操作部７２と、切替操作部７２に直結され円筒形状に形成された回動軸７３と、回動軸７３の底部に直結し直方体形状に形成された切替制御部７４と、切替ノブ７１を挿通させ回動軸７３近辺で埃塵の侵入を防止するためのパッキン８２ｃと、から構成されている。
【００２６】
切替操作部７２は、先端側に上方向に突出形成された切替ノブ７１を備え、台形状に形成された終端で切替ノブ７１の突出方向と逆の方向に円筒形状に突出形成した回動軸７３に連結され、台形状の部位のＲ形状に形成した部位がパッキン８２ｃと当接する構造となっている。
【００２７】
切替制御部７４は、回動軸７３の端部に連設されて形成された直方体形状に形成され、その一側面に切替の信号を発生させる導電性金属部材で形成された切替可動接片７６を装着する接片部７７を備え、後端部にオシボバネ７８とオシボ７９を備え、オシボ７９をケース１３の切替レバー収納室２５の奥行きに設けた当接部２６に当接させる構造となっている。
【００２８】
パッキン８２ｃは、図５及び図６に示すように、内側を中空にした四角形状に形成され、中空の部分に切替ノブ７１を挿通させて切替レバー収納室２５のパッキン収納部８２に収納する構造となっている。
【００２９】
ケース１３を構成する切替レバー収納室２５は、切替レバー１５の回動軸７３を回動軸係合孔８１に係合させ、回動軸７３よりも一段高く形成された切替操作部７２をケース１３の外に配置させる。そして、切替レバー１５を構成する切替制御部７４の切替可動接片７６が摺動切替基板６５の第１切替接触子６８ａ、第２切替接触子６８ｂに摺動できる状態で接続されている。
【００３０】
ケース１３を構成する速度制御部収納室２３は、摺動操作部１２の速度制御部５７を主に収納する部屋であって、この速度制御部５７の接片装着部５９ａに装着されている第１摺動可動接片６１ａが隣接する位置に鉛直方向に差し込まれて装着されている摺動切替基板６５の第１摺動接触子６６ａ、第２摺動接触子６６ｂに接触した状態を維持させ、接片装着部５９ｂに装着されている第２摺動可動接片６１ｂが第３摺動接触子６６ｃ、第４摺動接触子６６ｄに接触した状態を維持させて配置されている。
【００３１】
カバー１４は、ケース１３に係合するための係合部８３をカバー１４の周囲に備え、ケース１３に設けた半欠け形状のプランジャー係合支持部２１と同一形状に形成したやはり半欠け形状のプランジャー係合支持部８４を備え、その横にプランジャー係合支持部２１、８４同士を確実に係合する係合部８３ａを備えた構造となっている。
【００３２】
さて、このような構成からなるスイッチにおける組み立てについて、図７乃至図１２を参照して以下説明する。
【００３３】
先ず、図７に示すように、ケース１３においては、速度制御部収納室２３、切替レバー収納室２５、摺動切替基板６５をケース１３の開口面鉛直方向から配置する摺動切替基板収納部２４を備えている。
【００３４】
そして、図８に示すように、摺動切替基板収納部２４に摺動切替基板６５をケース１３の開口面に対して鉛直方向から差し込むようにして収納する。すると、図示していないが摺動切替基板６５に設けてある第１切替接触子６８ａ、第２切替接触子６８ｂが切替レバー収納室２５側に臨んだ状態となり、反対面に設けた第１、第２摺動接触子６６ａ、６ｂ、第３、第４摺動接触子６６ｃ、６６ｄが速度制御部収納室２３に臨んだ状態となる。
【００３５】
次に、図９に示すように、速度制御部収納室２３に摺動操作部１２の速度制御部５７を復帰バネ５８を介在させて収納し、且つプランジャー５５をプランジャー係合支持部２１に２つのパッキン８２ａ、８２ｂを係合させて収納する。すると、図示されていないが、速度制御部５７の側面壁に取付けてある第１摺動可動接片６１ａが摺動切替基板６５の第１摺動接触子６６ａ、第２摺動接触子６６ｂに摺動できる位置に維持し、第２摺動可動接片６１ｂが摺動切替基板６５の第３摺動接触子６６ｃ、第４摺動接触子６６ｄに摺動できる位置に維持する。
【００３６】
次に、図１０に示すように、切替レバー収納室２５に切替レバー１５を収納する。その際、切替ノブ７１を通してパッキン８２ｃを取付ける。そうすると、図に表れていないが、切替制御部７４の切替可動接片７６が摺動切替基板６５の第１切替接触子６８ａ及び第２切替接触子６８ｂに摺動できるように当接した状態を維持する。
【００３７】
このようにして組み込まれた各部材に対して、図１１に示すように、組み込まれた上部からカバー１４を被せる。そのときに、プランジャー係合支持部２１、８４同士を係合させ、係合部８３、８３ａを爪に係合させる。
【００３８】
最後に、図１２に示すように、プランジャー５５の先頭のトリガー係合部５６にトリガーレバー１１を取付けることでスイッチの組み立ては完成する。
【００３９】
さて、このようにして組み立てられたスイッチであるが、その内部構造において、特に切替レバーの動作について以下説明する。
【００４０】
先ず、図５、６に示すように、本願発明のスイッチについて、略示的に示した各部材について説明すると、側面を開口にした箱状に形成されたケース１３と、ケース１３の側面の開口面を塞ぐように構成されたカバー１４と、外部のトリガーレバー１１からの摺動操作を伝達してモーターの速度制御及び起動制御を司る摺動操作部１２と、表面に摺動操作部１２の摺動可動接片６１ａ、６１ｂに接触する摺動接触子６６ａ、６６ｂ、６６ｃ、６６ｄを備え、裏面に切替レバー１５の切替可動接片７６に接触する切替接触子６８ａ、６８ｂを備えた摺動切替基板６５と、モーターの正転・逆転を切替える切替レバー１５とを備えている。
【００４１】
ケース１３は、摺動操作部１２の速度制御部５７を収納する速度制御部収納室２３を備え、この速度制御部収納室２３の隣接した位置に摺動切替基板６５を開口部に対して鉛直方向から差し込んで収納する摺動切替基板収納部２４を備え、この摺動切替基板収納部２４に隣接した位置に切替レバー１５の切替制御部７４を収納する切替レバー収納室２５を備えた構成になっている。
【００４２】
摺動操作部１２は、円筒形状に形成したプランジャー５５と、プランジャー５５に連設して直方体形状に形成した速度制御部５７と、速度制御部５７の背後に復帰バネ５８を係合させて、常にトリガーレバー１１を押し込む方向と反対方向に付勢させる構造となっている。
【００４３】
速度制御部５７は、プランジャー５５と連設した面と異なる一方の面に摺動切替基板６５の摺動部材に摺動する第１摺動可動接片６１ａ、第２摺動可動接片６１ｂを装着した構造となっている。
【００４４】
摺動切替基板６５は、図１３に示すように、表面側に速度制御に使用する２つ平行に配置した速度制御に関する第１摺動接触子６６ａ及び第２摺動接触子６６ｂ、第３摺動接触子６ｃ及び第４摺動接触子６ｄが備えられ、図１４に示すように、裏面に本願発明の切替用の第１切替接触子６８ａ、第２切替接触子６８ｂが平行で且つ第２切替接触子６８ｂが細長く曲線形状にして配置されている。
【００４５】
切替レバー１５は、本願発明の主要とするもので、切替ノブ７１を備えた切替操作部７２と、切替操作部７２に直結され円筒形状に形成された回動軸７３と、回動軸７３の底部に直結し直方体形状に形成された切替制御部７４とから構成されている。
【００４６】
このような構成からなるスイッチを組み立てると、図１０及び図１５に示すように、ケース１３の摺動切替基板収納部２４に摺動切替基板６５を収納し、速度制御部収納室２３に摺動操作部１２の速度制御部５７をバネ５８を介在させて収納し、切替レバー収納室２５に切替レバー１５の切替制御部７４を収納し、回動軸７３を回動軸係合孔８１に係合させ、切替ノブ７１を挿通させたパッキン８２ｃをパッキン収納部８２に収納し、切替操作部７２を外に出した状態で収納する。
【００４７】
このようにして組み立てられると、図１４及び図１５に示すように、特に切替レバー１５の切替制御部７４に取付けられている切替可動接片７６が摺動切替基板６５の第２切替接触子６８ｂに当接した状態を維持している。この状態で切替ノブ７１を図１５の矢印方向に操作することで回動軸７３を中心として切替制御部７４の切替可動接片７６が摺動しながら動き、図１４に示すように、第１切替接触子６８ａと第２切替接触子６８ｂとを跨ぐようにして接触させ、図示していないモーターが正転であることを示す切替信号を生成する。
【００４８】
この基板の接触子の配置によっては、モーターが正転であるときの信号の生成、モーターが逆転であるときの信号の生成、正転及び逆転であるときの信号を生成することができる。
図１６に示す接触子は、モーターが正転であるときに信号を発生させるための接触子の配置状態を示したもので、曲線帯状に形成した第２切替接触子６８ｂに対して第１切替接触子６８ａが下部位置に配置されている。
図１７に示す接触子は、モーターが逆転であるときに信号を発生させる接触子の配置状態を示したもので、曲線帯状に形成した第２切替接触子６８ｂに対して第１切替接触子６８ａが上部位置に配置されている。
図１８に示す接触子は、モーターが正転及び逆転の両方のときに信号を発生させるもので、曲線帯状に形成した第２切替接触子６８ｂに対して第１切替接触子６８ａ、第３切替接触子６８ｃが上部と下部位置に配置されている。
【００４９】
図１９乃至図２１に示すものは、切替レバー１５を切替レバー収納室２５に収納した状態を示したもので、このうち図１９に示すものは切替レバー１５が中立の時、即ち、モーターが正転も逆転もしない中立の時の状態を示したものである。
回動軸係合孔８１に回動軸７３が係合され、パッキン８２ｃが切替操作部７２の台形状部分のＲの部分に当接した状態で維持され、切替レバー収納室２５に収納されている切替制御部７４の切替可動接片７６が摺動切替基板６５の第１切替接触子６８ａには接続されていない状態で、第２切替接触子６８ｂには接続された状態で維持され、オシボ７９が当接部２６の凹み部分に係合されている。
【００５０】
次に、図２０に示すように、モーターが正転方向に動かすように切替ノブ７１を操作すると、切替操作部７２の台形状部分のＲの部分がパッキン８２ｃに当接しながら摺動し、切替制御部７４の切替可動接片７６が摺動切替基板６５の第１切替接触子６８ａと第２切替接触子６８ｂに接続された状態となり、オシボ７９が当接部２６の凹み部分を通過する。
このように、切替操作部７２の台形状部分のＲの部分がパッキン８２ｃに当接しながら摺動する構造としたことで、外部に位置する切替ノブ７１の動きによってもパッキン８２ｃとの間に隙間が生じない。そのため、切替操作部７２を伝って入り込む塵埃をこのパッキン８２ｃで遮ることができるのである。
【００５１】
次に、図２１に示すように、モーターが逆転方向に動かすように切替ノブ７１を操作すると、切替操作部７２の台形状部分のＲの部分がパッキン８２ｃに当接しながら摺動し、切替制御部７４の切替可動接片７６が摺動切替基板６５の第２切替接触子６８ｂと第３切替接触子６８ｃに接続された状態となり、オシボ７９が当接部２６の凹み部分を通過してその下側の凹み部分に係合する。
【００５２】
次に、本願発明のトリガースイッチの第２の実施形態について、図面を参照して説明する。
【００５３】
第２の実施形態のトリガースイッチは、シーソー型の接点機構を備え、ケースの開口面に対し鉛直に摺動切替基板が配置されていることで、切替レバーの動作方向と正逆切替信号用の可動接片の荷重印加方向が鉛直に配置されることになり、正逆切替信号用の可動接片が常に摺動切替基板に接触し、摺動動作を可能にすることで、常に安定した接触圧力が得られるスイッチ機構を提供する。
【００５４】
第２の実施形態におけるシーソー型の接点機構を備えたトリガースイッチは、図２２乃至図２５に示すように、箱状に形成された内部に摺動接点機構を組み込み、外部のトリガーレバー１１からの摺動操作を伝達する摺動操作部１２を備え、且つ側面を開口にしたケース１３と、ケース１３の側面の開口面を塞ぐように構成されたカバー１４と、手で操作できるトリガーレバー１１と、ケース１３の上部位置であって、モーターの正転・逆転を切り替える切替レバー１５を備えた構成になっている。
【００５５】
ケース１３は、側面と底面を開口にした箱型形状に形成し、図２６及び図２７に示すように、中央位置で一方側に突出して形成され、プランジャー５５を係合するための半欠け形状のプランジャー係合支持部２１を設け、内部においては側面を開口した部位にガイド板２７を収納するためのガイド板収納部２２を備え、このガイド板収納部２２に隣接する位置にプランジャー５５及び速度制御部５７を備えた摺動操作部１２を収納する速度制御部収納室２３を備え、この速度制御部収納室２３の隣接した位置に摺動切替基板６５を開口部に対して鉛直方向から差し込んで収納する摺動切替基板収納部２４を備え、この摺動切替基板収納部２４に隣接した位置に切替レバー１５の切替制御部７４を収納する切替レバー収納室２５を備えた構成になっている。
【００５６】
ガイド板２７は、四角形状に形成された外板２８と内側が窪んだ形状にして固定接片３５及び可動接片支持台４１を配置するための配置部３１を設けた内板２９とから構成されている。
内板２９の配置部３１には、固定接片３５の端部に設けた外部端子３６を挿通する溝３２を設け、反対側の窪みには同じく可動接片支持台４１の端部に設けた外部端子４２を挿通する溝３３を設け、この溝３２、３３は内板２９から外板２８に通すように設けられている。
【００５７】
固定接片３５は、金属性部材で形成され、端部に外部と接続する外部端子３６を備え、その反対側を直角に折り曲げて固定接点３７を装着する固定接点装着部３８を備え、直角に折り曲げた部位の両端部に突出片３９をガイドに装着させ圧入し、脱落しないようにする構造となっている。
【００５８】
可動接片支持台４１は、金属製部材で形成され、端部に外部と接続する外部端子４２を備え、その反対側を直角に折り曲げ、更に折り曲げた端部側を逆方向の直角に折り曲げ、その折り曲げた部位の両端部を突出させた突出片４５で形成してシーソー型可動接片４６をシーソー状に係合する可動接片係合部４３を備え、直角に折り曲げた平面部分が可動接片４６の端部のガイド片４８に当接する当接部４４を備えた構造となっている。
【００５９】
シーソー型可動接片４６は、金属製部材で形成され、細長い形状に形成し、略中間位置を折り曲げ、折り曲げた部位寄りの位置の両端部に外方向に突出させ可動接片支持台４１の可動接片係合部４３に係合する係合支持部４７を備え、端部側を直角方向に折り曲げてガイド片４８を形成し、反対側の端部に可動接点４９を備える可動接点装着部５１を備え、平板の表面をオシボ６３が当接して摺動するオシボ摺動面５２を形成する。
【００６０】
摺動操作部１２は、円筒形状に形成したプランジャー５５と、プランジャー５５の先端部にトリガーレバー１１と係合するトリガー係合部５６を設け、プランジャー５５に連設して直方体形状に形成した速度制御部５７と、速度制御部５７の背後に復帰バネ５８を係合させて、常にトリガーレバー１１を押し込む方向と反対方向に付勢させる構造となっている。
【００６１】
速度制御部５７は、プランジャー５５と連設した面と異なる一方の面に摺動切替基板６５に摺動する摺動可動接片６１を接片装着部５９に装着して備え、反対側の面にオシボバネ６２とオシボ６３を装着しガイド板２７に取付けられている固定接片３５及び可動接片支持台４１に取付けられているシーソー型可動接片４６の表面を摺接する構造となっている。
【００６２】
摺動切替基板６５は、表面側に速度制御に使用する２つ平行に配置した第１摺動接触子６６ａ、第２摺動接触子６６ｂが備えられ、裏面に本願発明の切替用の第１切替接触子６８ａ、第２切替接触子６８ｂが平行で且つ第２切替接触子６８ｂが細長く曲線形状にして配置されている。
【００６３】
切替レバー１５は、本願発明の主要とするもので、切替ノブ７１を備えた切替操作部７２と、切替操作部７２に直結され円筒形状に形成された回動軸７３と、回動軸７３の底部に直結し直方体形状に形成された切替制御部７４とから構成されている。
【００６４】
ケース１３に設けた切替レバー収納室２５は、切替レバー１５の回動軸７３を回動軸係合孔８１に係合させ、回動軸７３よりも一段高く形成された切替操作部７２をケース１３の外に位置させる。そして、切替レバー１５を構成する切替制御部７４の切替可動接片７６が摺動切替基板６５の第１切替接触子６８ａ、第２切替接触子６８ｂに摺動できる状態で接続されている。
【００６５】
速度制御部収納室２３は、摺動操作部１２の速度制御部５７を主に収納する部屋であって、この速度制御部５７の接片装着部５９に装着されている摺動可動接片６１が隣接する位置に鉛直方向に差し込まれて装着されている摺動切替基板６５の第３切替接触子６６ｃ、第４切替接触子６６ｄに接触した状態を維持させるように配置されている。
【００６６】
カバー１４は、ケース１３に係合するための係合部８３をカバー１４の周囲に備え、ケース１３に設けた半欠け形状のプランジャー係合支持部２１と同一形状に形成したやはり半欠け形状のプランジャー係合支持部８４を備え、その横にプランジャー係合支持部２１、８４同士を確実に係合する係合部８３ａを備えた構造となっている。
【００６７】
さて、このような構成からなるスイッチにおける組み立てについて、図２８乃至図３４を参照して以下説明する。
【００６８】
先ず、図２８に示すように、ケース１３においては、速度制御収納室２３、切替レバー収納室２５、ガイド板２７、摺動切替基板６５をケースの開口面鉛直方向から配置するガイド板収納部２２、摺動切替基板収納部２４を備えている。
【００６９】
そして、図２９に示すように、摺動切替基板収納部２４に摺動切替基板６５をケース１３の開口面に対して鉛直方向から差し込むようにして収納する。すると、図示されていないが摺動切替基板６５に設けてある第１切替接触子６８ａ、第２切替接触子６８ｂが切替レバー収納室２５側に臨んだ状態となる。
【００７０】
次に、図３０に示すように、ガイド板２７に、固定接片３５の外部端子４２を溝３２に挿通させ、可動接片支持台４１の外部端子４２を溝３３に挿通させた、ガイド板２７をガイドいた収納部２２に開口面に鉛直方向から配置させ、可動接片支持台４１の可動接片係合部４３にシーソー型可動接片４６を係合させる。
すると、隣接する速度制御部収納室４６に、シーソー型可動接片４６のオシボ摺動面５２が臨んだ状態で配置されることになる。
【００７１】
次に、図３１に示すように、速度制御部収納室２３に摺動操作部１２の速度制御部５７を復帰バネ５８を介在させて収納し、且つプランジャー５５をプランジャー係合支持部２１にパッキン８２ａ、８２ｂを係合させて収納する。すると、図示されていないが速度制御部５７のオシボ６３がシーソー型可動接片４６のオシボ摺動面５２に当接した状態を維持し、速度制御部５７の反対側に取付けてある摺動可動接片６１が摺動切替基板６５の第３摺動接触子６６ｃ、第４摺動接触子６６ｄに摺動できる位置に維持する。
【００７２】
次に、図３２に示すように、切替レバー収納室２５に切替レバー１５を収納する。その際、切替ノブ７１を通してパッキン８２ｃを取付ける。そうすると、図に表れていないが、切替制御部７４の切替可動接片７６が摺動切替基板６５の第１切替接触子６８ａ及び第２切替接触子６８ｂに摺動できるように当接した状態を維持する。
【００７３】
このようにして組み込まれた各部材に対して、図３３に示すように、組み込まれた上部からカバー１４を被せる。そのときに、プランジャー係合支持部２１、８４同士を係合させ、係合部８３、８３ａを爪に係合させる。
【００７４】
最後に、図３４に示すように、プランジャー５５の先頭のトリガー係合部５６にトリガーレバー１１を取付けることでスイッチの組み立ては完成する。
【産業上の利用可能性】
【００７５】
ケースの開口面に対して垂直に摺動切替基板を配置し、切替レバーの切替可動接片が、摺動切替基板に設けてある切替接触子に常に接触した状態で摺動することで、切替可動接片の金属疲労現象を皆無にすることができ、接触圧力も常時安定して得ることができるため、外部からの要因による接触圧力の変化も皆無に等しくなり、良好な接触状態を得ることができるトリガースイッチを提供する。
更に、正転若しくは逆転のみ、正転と逆転の出力といった任意の出力特性を得ることができるトリガースイッチを提供する。
【符号の説明】
【００７６】
１１      トリガーレバー
１２      摺動操作部
１３      ケース
１４      カバー
１５      切替レバー
２１      プランジャー係合支持部
２２      ガイド板収納部
２３      速度制御部収納室
２４      摺動切替基板収納部
２５      切替レバー収納室
２６      当接部
２７      ガイド板
２８      外板
２９      内板
３１      配置部
３２      溝
３３      溝
３５      固定接片
３６      外部端子
３７      固定接点
３８      固定接点装着部
３９      突出片
４１      可動接片支持台
４２      外部端子
４３      可動接片係合部
４４      当接部
４５      突出片
４６      シーソー型可動接片
４７      係合支持部
４８      ガイド片
４９      可動接点
５１      可動接点装着部
５２      オシボ摺動面
５５      プランジャー
５６      トリガー係合部
５７      速度制御部
５８      復帰バネ
５９      接片装着部
５９ａ    接片装着部
５９ｂ    接片装着部
６１      摺動可動接片
６１ａ    第１摺動可動接片
６１ｂ    第２摺動可動接片
６２      オシボバネ
６３      オシボ
６５      摺動切替基板
６６ａ    第１摺動接触子
６６ｂ    第２摺動接触子
６６ｃ    第３摺動接触子
６６ｄ    第４摺動接触子
６８ａ    第１切替接触子
６８ｂ    第２切替接触子
６８ｃ    第３切替接触子
７１      切替ノブ
７２      切替操作部
７３      回動軸
７４      切替制御部
７６      切替可動接片
７７      接片部
７８      オシボバネ
７９      オシボ
８１      回動軸係合孔
８２      パッキン収納部
８２ａ    パッキン
８２ｂ    パッキン
８２ｃ    パッキン
８３      係合部
８３ａ    係合部
８４      プランジャー係合支持部
１１１    トリガーレバー
１１２    摺動操作部
１１３    ケース
１１４    カバー
１１５    切替レバー
１５５    プランジャー
１５７    速度制御部
１６５    摺動切替基板
１６１ａ  第１摺動可動接片
１６１ｂ  第２摺動可動接片
１６６ａ  第１摺動接触片
１６６ｂ  第２摺動接触子
１６６ｃ  第３摺動接触子
１６６ｄ  第４摺動接触子
１６８ａ  第１切替接触子
１６８ｂ  第２切替接触子
１７１    切替ノブ
１７３    回動軸
１７６    切替可動接片
１７７    接片部
１８１    回動軸係合孔
【図１】
0005448943.tif 000002
【図２】
0005448943.tif 000003
【図３】
0005448943.tif 000004
【図４】
0005448943.tif 000005
【図５】
0005448943.tif 000006
【図６】
0005448943.tif 000007
【図７】
0005448943.tif 000008
【図８】
0005448943.tif 000009
【図９】
0005448943.tif 000010
【図１０】
0005448943.tif 000011
【図１１】
0005448943.tif 000012
【図１２】
0005448943.tif 000013
【図１３】
0005448943.tif 000014
【図１４】
0005448943.tif 000015
【図１５】
0005448943.tif 000016
【図１６】
0005448943.tif 000017
【図１７】
0005448943.tif 000018
【図１８】
0005448943.tif 000019
【図１９】
0005448943.tif 000020
【図２０】
0005448943.tif 000021
【図２１】
0005448943.tif 000022
【図２２】
0005448943.tif 000023
【図２３】
0005448943.tif 000024
【図２４】
0005448943.tif 000025
【図２５】
0005448943.tif 000026
【図２６】
0005448943.tif 000027
【図２７】
0005448943.tif 000028
【図２８】
0005448943.tif 000029
【図２９】
0005448943.tif 000030
【図３０】
0005448943.tif 000031
【図３１】
0005448943.tif 000032
【図３２】
0005448943.tif 000033
【図３３】
0005448943.tif 000034
【図３４】
0005448943.tif 000035
【図３５】
0005448943.tif 000036
【図３６】
0005448943.tif 000037
【図３７】
0005448943.tif 000038
【図３８】
0005448943.tif 000039
【図３９】
0005448943.tif 000040
【図４０】
0005448943.tif 000041